(57)【要約】【課題】家電製品を収納するスペースが形成される収納家具の保管コストや運搬コストを格段に低くすることができる収納家具、収納家具の保管搬送方法を提供する。【解決手段】上部収納ユニット３と中部収納ユニット５と下部収納ユニット２のそれぞれを分離する。その分離した状態で中部収納ユニット５の側面パネル７及び背面パネル１０を上部収納ユニット３の内側に嵌合する。その際、側面パネル７及び背面パネル１０の高さ方向長さＨは上部収納ユニット３の内側高さ方向長さｈと実質的に同一にされているので、嵌合した状態でガタつくようなことがないようにすることができる。【選択図】図１
2020081705.tif 000002
【特許請求の範囲】
【請求項１】
上部収納ユニット、中部収納ユニット、下部収納ユニットの３層以上の積層構造を有する収納家具において、上部収納ユニットと下部収納ユニット間の少なくとも一の中部収納ユニットの側面パネルが上部収納ユニットの側面パネルと分離されて上部収納ユニット、中部収納ユニット、下部収納ユニットの各層がそれぞれ独立したユニットとされてなり、前記中部収納ユニットの側面パネルが中部収納ユニットの背面側に張り出す背面パネルを有して断面L字状又はコ字状にされてなると共に中部収納ユニットの両側面に一対形成されてなることを特徴とする収納家具。
【請求項２】
前記中部収納ユニットの一対の背面パネル間に中間背面パネルが設けられる請求項１記載の収納家具。
【請求項３】
前記中部収納ユニットの側面パネルと背面パネルの高さ方向長さが前記上部収納ユニット及び／又は下部収納ユニットの内側高さ方向長さと実質的に同一にされ、前記中部収納ユニットの側面パネルと背面パネルを前記上部収納ユニット及び／又は下部収納ユニットの内側に嵌合可能にされる請求項１又は請求項２記載の収納家具。
【請求項４】
請求項１〜請求項３のいずれか一に記載の収納家具を用い、前記上部収納ユニットと前記中部収納ユニットと前記下部収納ユニットのそれぞれを分離して所要場所に保管及び／又は搬送することを特徴とする収納家具の保管搬送方法。
【請求項５】
前記中部収納ユニットの側面パネル及び背面パネルを前記上部収納ユニット及び／又は下部収納ユニットの内側に嵌合して所要場所に保管及び／又は搬送することを特徴とする請求項４記載の収納家具の保管搬送方法。
【発明の詳細な説明】
【技術分野】
【０００１】
本発明は、いわゆるリビングボードやキッチンボード等の収納家具に関し、特に上部収納ユニット、中部収納ユニット、下部収納ユニットの３層以上の積層構造を有するリビングボードやキッチンボード等の収納家具、収納家具の保管搬送方法に関する。
【背景技術】
【０００２】
特許文献１に示す様な上部収納ユニット、中部収納ユニット、下部収納ユニットの３層以上の積層構造を有する収納家具が一般に用いられている。
この様な収納家具では、例えばキッチンボードの場合、一般に中部収納ユニットには炊飯器や電子レンジ等の家電製品を収納するスペースが形成される。このスペースが存在することによって炊飯器や電子レンジ等をスペース効率よく整理して収納しながら使い勝手よく使用することができる。
【先行技術文献】
【特許文献】
【０００３】
【特許文献１】特開2014−068809号公報
【発明の概要】
【発明が解決しようとする課題】
【０００４】
図１４、図１５に示す様に従来のキッチンボード１では、上部収納ユニット３、中部収納ユニット５、下部収納ユニット２は製造工程に於ける生産性を考慮して、下部収納ユニット２は単独で分離されるものの、上部収納ユニット３の側面パネル８と中部収納ユニット５の側面パネル７とは一体の部材によって作成されており、上部収納ユニット３と中部収納ユニット５は各々に分離されないものとされていた。
その結果、設置後には家電製品４を収納するスペースとなる中部収納ユニット５内側部分は、キッチンボード１を製造した後の倉庫での保管時や、倉庫から販売先へ運搬車に積載して運搬する運搬時では、単なるデッドスペースとなっていた。
その結果、倉庫のスペース効率が悪いだけで無く、運搬時には中部収納ユニット５内側部分が荷物全体を嵩張らせる原因となっており、運搬コストを上昇させる原因となっていた。
いわば「空気を保管するコスト負担」や「空気を運ぶコスト負担」が無意味に発生していた。
【０００５】
本発明は、以上の従来技術における問題に鑑み、家電製品を収納するスペースが形成される収納家具の保管コストや運搬コストを格段に低くすることができる収納家具、収納家具の保管搬送方法を提供することを目的とする。
【課題を解決するための手段】
【０００６】
すなわち本発明の収納家具は、上部収納ユニット、中部収納ユニット、下部収納ユニットの３層以上の積層構造を有する収納家具において、上部収納ユニットと下部収納ユニット間の少なくとも一の中部収納ユニットの側面パネルが上部収納ユニットの側面パネルと分離されて上部収納ユニット、中部収納ユニット、下部収納ユニットの各層がそれぞれ独立したユニットとされてなり、前記中部収納ユニットの側面パネルが中部収納ユニットの背面側に張り出す背面パネルを有して断面L字状又はコ字状にされてなると共に中部収納ユニットの両側面に一対形成されてなることを特徴とする。
【０００７】
また本発明の収納家具の保管方法は、本発明の収納家具を用い、前記上部収納ユニットと前記中部収納ユニットと前記下部収納ユニットのそれぞれを分離し、前記中部収納ユニットの側面パネル及び背面パネルを前記上部収納ユニット及び／又は下部収納ユニットの内側に嵌合して所要場所に保管することを特徴とする。
【０００８】
さらに本発明の収納家具の運搬方法は、本発明の収納家具を用い、前記上部収納ユニットと前記中部収納ユニットと前記下部収納ユニットのそれぞれを分離し、前記中部収納ユニットの側面パネル及び背面パネルを前記上部収納ユニット及び／又は下部収納ユニットの内側に嵌合して搬送車両に積載することを特徴とする。
【発明の効果】
【０００９】
本発明の収納家具とこれを用いる収納家具の保管方法及び収納家具の運搬方法によれば、家電製品を収納するスペースが形成される収納家具の保管コストや運搬コストを格段に低くすることができる。
【図面の簡単な説明】
【００１０】
【図１】本発明の一実施の形態の収納家具の正面図である。
【図２】図１に示す収納家具の右側面図である
【図３】本発明の他の実施の形態の収納家具の正面図である。
【図４】本発明のさらに他の実施の形態の収納家具の正面図である。
【図５】図４に示す収納家具の部分斜視図である。
【図６】図６本発明の他の実施の形態の収納家具の正面図である。
【図７】図６に示す収納家具の背面図である。
【図８】図６に示す収納家具の左側面図である。
【図９】図６に示す収納家具の右側面図である。
【図１０】６に示す収納家具の平面図である。
【図１１】図６に示す収納家具の底面図である。
【図１２】図６に示す収納家具の部分斜視図である。
【図１３】本発明の他の実施の形態の収納家具の部分斜視図である。
【図１４】従来の収納家具の正面図である。
【図１５】従来の収納家具の側面図である
【発明を実施するための形態】
【００１１】
以下に本発明の収納家具の一実施の形態を詳細に説明する。なお、以下の実施の形態の説明にあっては、従来と同一若しくは対応する部分は同一符号を用いて説明する。
図１は、本発明実施の形態の収納家具であるキッチンボードの正面図であり、図２はその側面図である。  キッチンの床Ｆ上に据え置かれるキッチンボード１は、床Ｆ側に下部収納ユニット２を有し、上方の天井側に上部収納ユニット３を備える。
【００１２】
下部収納ユニット２と上部収納ユニット３との間には家電製品４の収納部となる中部収納ユニット５が設けられる。中部収納ユニット５は底板６および左右の両側面パネル７によって区画されて形成される。図２に示す様にこの中部収納ユニット５の左右の両側面パネル７は上部収納ユニット３の両側面パネル８と分離されてなる。なおこの中部収納ユニット５は、その背面側は開放されてなりその内側面には２口の電気コンセント９が設けられている。
以上のように本実施の形態のキッチンボード１では上部収納ユニット３、中部収納ユニット５、下部収納ユニット２の各層はそれぞれ独立したユニットとされている。
【００１３】
図１に示す様に中部収納ユニット５の側面パネル７は中部収納ユニット５の背面側に張り出す背面パネル１０を一体に有して横断面L字状に形成されている。この一体な側面パネル７及び背面パネル１０は左右一対設けられる。
この様に中部収納ユニット５には、一体な側面パネル７及び背面パネル１０が左右一対設けられる結果、その中部収納ユニット５の背面側が開放されていても、中部収納ユニット５に必要な剛性を実現することができ、キッチンボード１の設置後の使用時に、特に中部収納ユニット５に横揺れ等のガタつきが生じることはない。
【００１４】
以上の中部収納ユニット５の側面パネル７及び背面パネル１０の高さ方向長さＨは上部収納ユニット３の内側高さ方向長さｈと実質的に同一にされている。その結果、中部収納ユニット５の側面パネル７は上部収納ユニット３の内側３ａに嵌合可能にされている。
【００１５】
以上の本実施の形態のキッチンボード１は生産後、販売前には次のような方法で保管される。
先ず上部収納ユニット３と中部収納ユニット５と下部収納ユニット２のそれぞれを分離する。その分離した状態では、一対の一体な側面パネル７及び背面パネル１０のみが残存し、中部収納ユニット５は消失する。したがって、この残存した一体な側面パネル７及び背面パネル１０を適宜積層して保管するようにすれば、「空気を保管するコスト負担」が無意味に発生するようなことは防止できる。
【００１６】
またその分離した状態で中部収納ユニット５の側面パネル７及び背面パネル１０を上部収納ユニット３の内側に嵌合するようにすれば上部収納ユニット３の内側空間を有効に利用して保管コストをさらに低減することができる。
その際、側面パネル７及び背面パネル１０の高さ方向長さＨは上部収納ユニット３の内側高さ方向長さｈと実質的に同一にされているので、嵌合した状態でガタつくようなことがないようにすることができる。
この様にして保管することで、上部収納ユニット３と中部収納ユニット５と下部収納ユニット２全体の容積の２／３の容積とすることが可能となり、スペース効率よく保管することができる。
【００１７】
以上の本実施の形態のキッチンボード１は生産後、販売先等に搬送する場合には次のような方法で搬送される。
上部収納ユニット３と中部収納ユニット５と下部収納ユニット２のそれぞれを分離する。その分離した状態では、一対の一体な側面パネル７及び背面パネル１０のみが残存し、中部収納ユニット５は消失する。したがって、この残存した一体な側面パネル７及び背面パネル１０を適宜積層して搬送するようにすれば、「空気を運ぶコスト負担」が無意味に発生するようなことは防止できる。
【００１８】
さらにその分離した状態で中部収納ユニット５の側面パネル７及び背面パネル１０を上部収納ユニット３の内側に嵌合し、その状態で搬送車両に積載するようにすれば上部収納ユニット３の内側空間を有効に利用して搬送コストをさらに低減することができる。
この様にして搬送することで、上部収納ユニット３と中部収納ユニット５と下部収納ユニット２全体の容積の２／３の容積とすることが可能となり、スペース効率よく搬送することができる。
その場合に、側面パネル７及び背面パネル１０の高さ方向長さＨは上部収納ユニット３の内側高さ方向長さｈと実質的に同一にされているので、嵌合した状態でガタつくようなことがないようにして搬送することができる。
【００１９】
図３は本発明の他の実施の形態の収納家具の正面図である。
本実施の形態のキッチンボード１では向かって左側に一体な側面パネル７及び背面パネル１０が設けられると共に、向かって右側には側面パネル７と一体な背面パネル１０に対して一体に中部収納ユニット５の内側に張り出し側面パネル７と対向する態様で内側パネル１１が設けられる。その結果、側面パネル７と背面パネル１０と内側パネル１１とによって横断面コ字状の中部収納ユニット５の内側ブロック１２が形成される。この内側ブロック１２の内部は仕切りパネル１３によって３段に仕切られて、その内部が小物収納部とされている。
【００２０】
図４は本発明の他の実施の形態の収納家具の正面図であり、図５はその部分斜視図である。
本実施の形態のキッチンボード１では正面視左右一対設けられる一対の背面パネル１０間に中間背面パネル１４が設けられる。これによって剛性を大きくすることができ、特に左右幅広なモデルの場合でも中部収納ユニット５に必要な剛性を実現することができる。そのため、キッチンボード１の設置後の使用時に、特に中部収納ユニット５に横揺れ等のガタつきが生じることはない。
【００２１】
図６は本発明の他の実施の形態の収納家具の正面図である。
また図７はその背面図、図８はその左側面図、図９はその右側面図、図１０図はその平面図、図１１はその底面図、図１２はその部分斜視図である。
本実施の形態のキッチンボード１では図４に示すキッチンボード１に設けられる中間背面パネル１４と一体に中部収納ユニット５内側に延出し、キッチンボード１正面視左側の側面パネル７と対向する態様で内側パネル１５が設けられる。内側パネル１５と側面パネル７間には水平方向の仕切りパネル１６が設けられ、仕切りパネル１６の一側部に当接し、かつ中間背面パネル１４と背面パネル１０間に差し渡される態様で、背面補強部材１７が設けられる。
【００２２】
図１３は本発明のさらに他の実施の形態の収納家具の部分斜視図である。
本実施の形態のキッチンボード１では向かって右側に一体な側面パネル７及び背面パネル１０が設けられると共に、向かって左側には側面パネル７と一体な背面パネル１０に対して一体に中部収納ユニット５の内側に張り出し側面パネル７と対向する態様で内側パネル１８が設けられる。その結果、側面パネル７と背面パネル１０と内側パネル１８とによって横断面コ字状の中部収納ユニット５の内側ブロック１９が形成される。この内側ブロック１９の内部は仕切りパネル２０によって３段に仕切られて、その内部が小物載置部とされる。
【符号の説明】
【００２３】
１・・・キッチンボード、５・・・中部収納ユニット、４・・・家電製品、、３・・・上部収納ユニット、２・・・下部収納ユニット、７・・・側面パネル、１０・・・背面パネル、１１・・・内側パネル、１４・・・中間背面パネル。
【図１】
2020081705.tif 000003
【図２】
2020081705.tif 000004
【図３】
2020081705.tif 000005
【図４】
2020081705.tif 000006
【図５】
2020081705.tif 000007
【図６】
2020081705.tif 000008
【図７】
2020081705.tif 000009
【図８】
2020081705.tif 000010
【図９】
2020081705.tif 000011
【図１０】
2020081705.tif 000012
【図１１】
2020081705.tif 000013
【図１２】
2020081705.tif 000014
【図１３】
2020081705.tif 000015
【図１４】
2020081705.tif 000016
【図１５】
2020081705.tif 000017
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
上部収納ユニット、中部収納ユニット、下部収納ユニットの３層積層構造を有するキッチンボードにおいて、上部収納ユニットと下部収納ユニット間の少なくとも一の中部収納ユニットの側面パネルが上部収納ユニットの側面パネルと分離されて上部収納ユニット、中部収納ユニット、下部収納ユニットの各層がそれぞれ独立したユニットとされてなり、前記中部収納ユニットの側面パネルが中部収納ユニットの背面側に張り出す背面パネルを有して断面L字状又はコ字状にされてなると共に中部収納ユニットの両側面に一対形成されてなり、前記中部収納ユニットの一対の背面パネル間に中間背面パネルが設けられることを特徴とする３層積層構造を有するキッチンボード。
【請求項２】
請求項１に記載のキッチンボードを用い、前記上部収納ユニットと前記中部収納ユニットと前記下部収納ユニットのそれぞれを分離して前記中部収納ユニットの側面パネル及び背面パネルを前記上部収納ユニット及び／又は下部収納ユニットの内側に収納して所要場所に保管及び／又は搬送することを特徴とする３層積層構造を有するキッチンボードの保管搬送方法。
【手続補正３】
【補正対象書類名】明細書
【補正対象項目名】０００１
【補正方法】変更
【補正の内容】
【０００１】
本発明は、いわゆるキッチンボードに関し、特に上部収納ユニット、中部収納ユニット、下部収納ユニットの３層以上の積層構造を有するキッチンボード、キッチンボードの保管搬送方法に関する。
【手続補正４】
【補正対象書類名】明細書
【補正対象項目名】０００２
【補正方法】変更
【補正の内容】
【０００２】
特許文献１に示す様な上部収納ユニット、中部収納ユニット、下部収納ユニットの３層以上の積層構造を有するキッチンボードが一般に用いられている。
この様なキッチンボードでは、例えばキッチンボードの場合、一般に中部収納ユニットには炊飯器や電子レンジ等の家電製品を収納するスペースが形成される。このスペースが存在することによって炊飯器や電子レンジ等をスペース効率よく整理して収納しながら使い勝手よく使用することができる。
【手続補正５】
【補正対象書類名】明細書
【補正対象項目名】０００５
【補正方法】変更
【補正の内容】
【０００５】
本発明は、以上の従来技術における問題に鑑み、家電製品を収納するスペースが形成されるキッチンボードの保管コストや運搬コストを格段に低くすることができるキッチンボード、キッチンボードの保管搬送方法を提供することを目的とする。
【手続補正６】
【補正対象書類名】明細書
【補正対象項目名】０００６
【補正方法】変更
【補正の内容】
【０００６】
すなわち本発明のキッチンボードは、上部収納ユニット、中部収納ユニット、下部収納ユニットの３層以上の積層構造を有するキッチンボードにおいて、上部収納ユニットと下部収納ユニット間の少なくとも一の中部収納ユニットの側面パネルが上部収納ユニットの側面パネルと分離されて上部収納ユニット、中部収納ユニット、下部収納ユニットの各層がそれぞれ独立したユニットとされてなり、前記中部収納ユニットの側面パネルが中部収納ユニットの背面側に張り出す背面パネルを有して断面L字状又はコ字状にされてなると共に中部収納ユニットの両側面に一対形成されてなることを特徴とする。
【手続補正７】
【補正対象書類名】明細書
【補正対象項目名】０００７
【補正方法】変更
【補正の内容】
【０００７】
また本発明のキッチンボードの保管方法は、本発明のキッチンボードを用い、前記上部収納ユニットと前記中部収納ユニットと前記下部収納ユニットのそれぞれを分離し、前記中部収納ユニットの側面パネル及び背面パネルを前記上部収納ユニット及び／又は下部収納ユニットの内側に嵌合して所要場所に保管することを特徴とする。
【手続補正８】
【補正対象書類名】明細書
【補正対象項目名】０００８
【補正方法】変更
【補正の内容】
【０００８】
さらに本発明のキッチンボードの運搬方法は、本発明のキッチンボードを用い、前記上部収納ユニットと前記中部収納ユニットと前記下部収納ユニットのそれぞれを分離し、前記中部収納ユニットの側面パネル及び背面パネルを前記上部収納ユニット及び／又は下部収納ユニットの内側に嵌合して搬送車両に積載することを特徴とする。
【手続補正９】
【補正対象書類名】明細書
【補正対象項目名】０００９
【補正方法】変更
【補正の内容】
【０００９】
本発明のキッチンボードとこれを用いるキッチンボードの保管方法及びキッチンボードの運搬方法によれば、家電製品を収納するスペースが形成されるキッチンボードの保管コストや運搬コストを格段に低くすることができる。
【手続補正１０】
【補正対象書類名】明細書
【補正対象項目名】００１０
【補正方法】変更
【補正の内容】
【００１０】
【図１】本発明の一実施の形態のキッチンボードの正面図である。
【図２】図１に示すキッチンボードの右側面図である
【図３】本発明の他の実施の形態のキッチンボードの正面図である。
【図４】本発明のさらに他の実施の形態のキッチンボードの正面図である。
【図５】図４に示すキッチンボードの部分斜視図である。
【図６】図６本発明の他の実施の形態のキッチンボードの正面図である。
【図７】図６に示すキッチンボードの背面図である。
【図８】図６に示すキッチンボードの左側面図である。
【図９】図６に示すキッチンボードの右側面図である。
【図１０】６に示すキッチンボードの平面図である。
【図１１】図６に示すキッチンボードの底面図である。
【図１２】図６に示すキッチンボードの部分斜視図である。
【図１３】本発明の他の実施の形態のキッチンボードの部分斜視図である。
【図１４】従来のキッチンボードの正面図である。
【図１５】従来のキッチンボードの側面図である
【手続補正１１】
【補正対象書類名】明細書
【補正対象項目名】００１１
【補正方法】変更
【補正の内容】
【００１１】
以下に本発明のキッチンボードの一実施の形態を詳細に説明する。なお、以下の実施の形態の説明にあっては、従来と同一若しくは対応する部分は同一符号を用いて説明する。
図１は、本発明実施の形態のであるキッチンボードの正面図であり、図２はその側面図である。キッチンの床Ｆ上に据え置かれるキッチンボード１は、床Ｆ側に下部収納ユニット２を有し、上方の天井側に上部収納ユニット３を備える。
【手続補正１２】
【補正対象書類名】明細書
【補正対象項目名】００１９
【補正方法】変更
【補正の内容】
【００１９】
図３は本発明の他の実施の形態のキッチンボードの正面図である。
本実施の形態のキッチンボード１では向かって左側に一体な側面パネル７及び背面パネル１０が設けられると共に、向かって右側には側面パネル７と一体な背面パネル１０に対して一体に中部収納ユニット５の内側に張り出し側面パネル７と対向する態様で内側パネル１１が設けられる。その結果、側面パネル７と背面パネル１０と内側パネル１１とによって横断面コ字状の中部収納ユニット５の内側ブロック１２が形成される。この内側ブロック１２の内部は仕切りパネル１３によって３段に仕切られて、その内部が小物収納部とされている。
【手続補正１３】
【補正対象書類名】明細書
【補正対象項目名】００２０
【補正方法】変更
【補正の内容】
【００２０】
図４は本発明の他の実施の形態のキッチンボードの正面図であり、図５はその部分斜視図である。
本実施の形態のキッチンボード１では正面視左右一対設けられる一対の背面パネル１０間に中間背面パネル１４が設けられる。これによって剛性を大きくすることができ、特に左右幅広なモデルの場合でも中部収納ユニット５に必要な剛性を実現することができる。そのため、キッチンボード１の設置後の使用時に、特に中部収納ユニット５に横揺れ等のガタつきが生じることはない。
【手続補正１４】
【補正対象書類名】明細書
【補正対象項目名】００２１
【補正方法】変更
【補正の内容】
【００２１】
図６は本発明の他の実施の形態のキッチンボードの正面図である。
また図７はその背面図、図８はその左側面図、図９はその右側面図、図１０図はその平面図、図１１はその底面図、図１２はその部分斜視図である。
本実施の形態のキッチンボード１では図４に示すキッチンボード１に設けられる中間背面パネル１４と一体に中部収納ユニット５内側に延出し、キッチンボード１正面視左側の側面パネル７と対向する態様で内側パネル１５が設けられる。内側パネル１５と側面パネル７間には水平方向の仕切りパネル１６が設けられ、仕切りパネル１６の一側部に当接し、かつ中間背面パネル１４と背面パネル１０間に差し渡される態様で、背面補強部材１７が設けられる。
【手続補正１５】
【補正対象書類名】明細書
【補正対象項目名】００２２
【補正方法】変更
【補正の内容】
【００２２】
図１３は本発明のさらに他の実施の形態のキッチンボードの部分斜視図である。
本実施の形態のキッチンボード１では向かって右側に一体な側面パネル７及び背面パネル１０が設けられると共に、向かって左側には側面パネル７と一体な背面パネル１０に対して一体に中部収納ユニット５の内側に張り出し側面パネル７と対向する態様で内側パネル１８が設けられる。その結果、側面パネル７と背面パネル１０と内側パネル１８とによって横断面コ字状の中部収納ユニット５の内側ブロック１９が形成される。この内側ブロック１９の内部は仕切りパネル２０によって３段に仕切られて、その内部が小物載置部とされる。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
上部収納ユニット、中部収納ユニット、下部収納ユニットの３層積層構造を有するキッチンボードにおいて、上部収納ユニットと下部収納ユニット間の少なくとも一の中部収納ユニットの側面パネルが上部収納ユニットの側面パネルと分離されて上部収納ユニット、中部収納ユニット、下部収納ユニットの各層がそれぞれ独立したユニットとされてなり、前記中部収納ユニットの側面パネルが中部収納ユニットの背面側に張り出す背面パネルを有して断面L字状又はコ字状にされてなると共に中部収納ユニットの両側面に一対形成されてなり、前記中部収納ユニットの一対の背面パネル間に中間背面パネルが設けられ、前記上部収納ユニットと前記中部収納ユニットと前記下部収納ユニットの各々の側面パネルの幅が相互に異なりかつ前記中部収納ユニットの側面パネルの幅が最小であることを特徴とする３層積層構造を有するキッチンボード。
【請求項２】
請求項１に記載のキッチンボードを用い、前記上部収納ユニットと前記中部収納ユニットと前記下部収納ユニットのそれぞれを分離して前記中部収納ユニットの側面パネル及び背面パネルを前記上部収納ユニット及び／又は下部収納ユニットの内側に収納して所要場所に保管及び／又は搬送することを特徴とする３層積層構造を有するキッチンボードの保管搬送方法。
【手続補正２】
【補正対象書類名】明細書
【補正対象項目名】０００６
【補正方法】変更
【補正の内容】
【０００６】
すなわち本発明のキッチンボードは、上部収納ユニット、中部収納ユニット、下部収納ユニットの３層積層構造を有するキッチンボードにおいて、上部収納ユニットと下部収納ユニット間の少なくとも一の中部収納ユニットの側面パネルが上部収納ユニットの側面パネルと分離されて上部収納ユニット、中部収納ユニット、下部収納ユニットの各層がそれぞれ独立したユニットとされてなり、前記中部収納ユニットの側面パネルが中部収納ユニットの背面側に張り出す背面パネルを有して断面L字状又はコ字状にされてなると共に中部収納ユニットの両側面に一対形成されてなり、前記中部収納ユニットの一対の背面パネル間に中間背面パネルが設けられ、前記上部収納ユニットと前記中部収納ユニットと前記下部収納ユニットの各々の側面パネルの幅が相互に異なりかつ前記中部収納ユニットの側面パネルの幅が最小であることを特徴とする。
【手続補正３】
【補正対象書類名】明細書
【補正対象項目名】００１２
【補正方法】変更
【補正の内容】
【００１２】
下部収納ユニット２と上部収納ユニット３との間には家電製品４の収納部となる中部収納ユニット５が設けられる。中部収納ユニット５は底板６および左右の両側面パネル７によって区画されて形成される。図２に示す様にこの中部収納ユニット５の左右の両側面パネル７は上部収納ユニット３の両側面パネル８と分離されてなる。なおこの中部収納ユニット５は、その背面側は開放されてなりその内側面には２口の電気コンセント９が設けられている。
以上のように本実施の形態のキッチンボード１では上部収納ユニット３、中部収納ユニット５、下部収納ユニット２の各層はそれぞれ独立したユニットとされている。その結果、図２に示す様に上部収納ユニット３の側面パネル８と中部収納ユニット５の側面パネル７と下部収納ユニット２の側面パネルの幅が相互に異なる様にすることができ、図２に示す様に下部収納ユニット２の側面パネルの幅が最大にされ、それに次いで上部収納ユニット３の側面パネル８の幅が大きく、中部収納ユニット５の側面パネル７の幅が最小にされている。